(57)【要約】      （修正有）【課題】クラウンモールド材を安定姿勢で簡単に位置決め可能とする。【解決手段】卓上丸鋸盤１のガイドフェンス１１において、各ガイド部１２の左右両側には、一対の上下方向のスリット１６，１６が形成され、各スリット１６にノブ１７が取り付けられている。このノブ１７は、後端に抜け止め板を備えたボルト１９を、ガイド部１２の後方からスリット１６を介してナットに螺合させることで、スリット１６に沿って上下動可能で、クラウンモールド材Ｗの上端に当接する位置でノブ１７をねじ込み操作すると、ノブ１７と抜け止め板とがガイド部１２を前後から挟持し、当該位置でクラウンモールド材Ｗを位置決め可能となる。【選択図】図１
2009072983.tif 000002
【特許請求の範囲】
【請求項１】
被切断材をセット可能なベースの上方に、回転刃を有する本体を上下動可能に設けた切断機において、前記ベース上に前記回転刃と平面視で直交するように取り付けられ、その取付状態で前記ベースの上面と直角となるガイド面を備えた切断機用ガイドフェンスであって、
前記ガイド面から突出し、上下方向へ移動可能且つ任意の位置で固定可能なストッパ部材を設けたことを特徴とする切断機用ガイドフェンス。
【請求項２】
前記ストッパ部材を、前記ガイド面から突出する使用位置と、前記ガイド面に没入する収納位置との間で任意に移動操作可能としたことを特徴とする請求項１に記載の切断機用ガイドフェンス。
【請求項３】
被切断材をセット可能なベースの上方に、回転刃を有する本体を上下動可能に設けた切断機であって、
前記ベース上に、請求項１又は２に記載の切断機用ガイドフェンスを取り付けたことを特徴とする切断機。
【発明の詳細な説明】
【技術分野】
【０００１】
本発明は、卓上丸鋸盤等の切断機に被切断材の位置決め用に設けられる切断機用ガイドフェンスと、その切断機用ガイドフェンスを用いた切断機とに関する。
【背景技術】
【０００２】
切断機の一例である卓上丸鋸盤においては、ベースの後方に立設したアームに、回転刃を有する本体を上下動可能に軸着して、本体の下降操作により、ベース上にセットした被切断を回転刃で切断可能となっている。このベースには、左右方向にガイドフェンスが架設されて、ベースの上面と直角となるガイド面に被切断材を押し当てることで、被切断材の位置決めを容易としている。
しかし、被切断材がクラウンモールド材（天井と壁との境目に沿って化粧材として設けられるもの）である場合、切断時はガイド面へ立て掛ける不安定な姿勢となり、ガイド面へ手で押し付けてもクラウンモールド材ががたついて適正な位置決めができないおそれがある。そこで、特許文献１には、クラウンモールド材の上端を下端とを係止して立て掛ける格好で保持可能としたＬ字状のホルダが開示されている。すなわち、クラウンモールド材を保持させたホルダごとガイドフェンスに押し当てて位置決めするようにしたものである。
【０００３】
【特許文献１】米国特許第６４８１３２０Ｂ１号明細書
【発明の開示】
【発明が解決しようとする課題】
【０００４】
しかし、このホルダは、クラウンモールド材専用としてガイドフェンスと別に用意する必要があるため、製造コストや管理の手間がかさむ。また、ホルダへのクラウンモールド材の装着をいちいち行うのも面倒で、使い勝手が良くない。
【０００５】
そこで、本発明は、ホルダ等の別部材を用いなくてもクラウンモールド材を安定姿勢で簡単に位置決めでき、コスト面や使い勝手に優れた切断機用ガイドフェンスと、そのガイドフェンスを用いた切断機とを提供することを目的としたものである。
【課題を解決するための手段】
【０００６】
上記目的を達成するために、請求項１に記載の発明は、被切断材をセット可能なベースの上方に、回転刃を有する本体を上下動可能に設けた切断機において、ベース上に回転刃と平面視で直交するように取り付けられ、その取付状態でベースの上面と直角となるガイド面を備えた切断機用ガイドフェンスであって、ガイド面から突出し、上下方向へ移動可能且つ任意の位置で固定可能なストッパ部材を設けたことを特徴とするものである。
請求項２に記載の発明は、請求項１の構成において、ガイドフェンスにストッパ部材を設けても使い勝手を損なわないようにするために、ストッパ部材を、ガイド面から突出する使用位置と、ガイド面に没入する収納位置との間で任意に移動操作可能としたことを特徴とするものである。
上記目的を達成するために、請求項３に記載の発明は、被切断材をセット可能なベースの上方に、回転刃を有する本体を上下動可能に設けた切断機であって、ベース上に、請求項１又は２に記載の切断機用ガイドフェンスを取り付けたことを特徴とするものである。
【発明の効果】
【０００７】
請求項１及び３に記載の発明によれば、ガイドフェンスにストッパ部材を設けたことで、ホルダ等の別部材を用いなくてもクラウンモールド材を安定姿勢で簡単に位置決めできる。よって、使い勝手に優れる上、コストアップも抑えられる。
請求項２に記載の発明によれば、請求項１の効果に加えて、必要に応じてストッパ部材が使用可能となり、クラウンモールド材以外の被切断材を切断する際にストッパ部材が邪魔になることがない。よって、ガイドフェンスにストッパ部材を設けても使い勝手を損なうことがない。
【発明を実施するための最良の形態】
【０００８】
以下、本発明の実施の形態を図面に基づいて説明する。
図１は、切断機の一例である卓上丸鋸盤の側面図で、卓上丸鋸盤１は、ベース２上に円形のターンテーブル３を略中央で水平回転可能に載置し、そのターンテーブル３の後方（図１の左側）中央に回転可能に連結した連結部４の上端に、本体５の下端部を支軸６によって上下方向へ回転可能に軸着してなる。この本体５は、側面に設けた図示しないモータによって回転する回転刃としての円盤状の鋸刃７を前後方向に向けて備え、支軸６に設けた図示しないトーションバネによって常態では図１の上限位置に付勢されるものである。８は、本体５の上限位置で鋸刃７を覆い、本体５の下降に伴って鋸刃７の露出方向へ回転する安全カバー、９はハンドルである。なお、連結部４は、レバー１０によってターンテーブル３に対して左右両側へ任意の角度回転した位置で固定可能となっている。
【０００９】
そして、ベース２上の左右には、ターンテーブル３上を非接触で左右に横切り、平面視で鋸刃７と直交する格好で、本発明の切断機用ガイドフェンスとしてのガイドフェンス１１が、ボルトで固定されている。このガイドフェンス１１は、図２に示すように、左右一対のＬ字状のガイド部１２，１２と、ターンテーブル３の中央に設けた刃口板１４を迂回して両ガイド部１２，１２を連結する半円状の迂回部１３とからなり、各ガイド部１２の前面は、ターンテーブル３の上面と直角なガイド面１５となっている。
【００１０】
また、各ガイド部１２の左右両側には、一対の上下方向のスリット１６，１６が形成され、各スリット１６に、ストッパ部材としてのノブ１７が取り付けられている。このノブ１７は、図３に示すように、後方を開口して内部にナット１８を埋設したゴム製で、後端に抜け止め板２０を備えたボルト１９を、ガイド部１２の後方からスリット１６を介してナット１８に螺合させることで、スリット１６に沿って上下動可能となっている。さらに、ボルト１９の根元には、スリット１６の幅に合わせた角軸部２１が形成されて、スリット１６内でボルト１９を回り止めしている。よって、スリット１６内の所定位置でノブ１７をねじ込み方向へ回転操作すると、ノブ１７と抜け止め板２０とが互いに接近してガイド部１２を前後から挟持し、当該位置でノブ１７が固定されることになる。
【００１１】
一方、各ガイド部１２におけるスリット１６の下端には、ノブ１７が嵌合可能な丸孔２２が連続状に形成されると共に、丸孔２２の後方に、抜け止め板２０の後方へのスライドを許容する凹溝２３が連設されている。よって、丸孔２２に嵌合する状態でノブ１７を後方へ押し込むと、図３に二点鎖線で示すように、ノブ１７がガイド面１５より後方に没入する収納位置までノブ１７を後退させることができ、この収納位置から抜け止め板２０を前方へ押圧すると、ノブ１７が丸孔２２から脱却してガイド面１５の前方へ突出する使用位置へ移動する。なお、収納位置でもノブ１７は丸孔２２の内面に当接しているため、ゴムの抵抗で抜け止めされ、ノブ１７が偶発的に使用位置へ飛び出すおそれはない。
【００１２】
以上の如く構成された卓上丸鋸盤１は、クラウンモールド材Ｗを切断する場合、まず各ノブ１７を緩み方向へ回転させてスリット１６の上端にスライドさせ、落ちない程度にねじ込んだ状態とする。次に、クラウンモールド材Ｗを図３のように、下端がガイドフェンス１１から離れた位置に、上端がガイドフェンス１１のガイド面１５の上方位置に夫々当接するように立て掛ける。そして、各ノブ１７をクラウンモールド材Ｗの上端に当接するまで下降させ、当該位置で各ノブ１７をねじ込んで固定する。すると、クラウンモールド材Ｗの上端が複数のノブ１７，１７・・で押さえられて立て掛け姿勢が維持される。なお、ベース２に、ガイドフェンス１１に対して水平移動且つ任意の位置で固定可能な位置決め金具２４が設けられる場合は、位置決め金具２４をクラウンモールド材Ｗの下端に前方から当接させて固定する。
【００１３】
こうしてクラウンモールド材Ｗを位置決めした状態で、ハンドル９に設けた図示しないスイッチをＯＮ操作すると、モータが駆動して鋸刃７が回転する。ここでハンドル９を用いて本体５を下降させると、クラウンモールド材Ｗをガイドフェンス１１に対して直角に切断することができる。このとき、クラウンモールド材Ｗはノブ１７によって上端が押さえられているので、切断時にがたついたり跳ね上がったりするおそれがなく、所望の切断位置で精度良く切断可能となる。なお、ターンテーブル３を回転させると水平方向で鋸刃７の角度が変更する角度切りが、レバー１０によって本体５を傾動させると垂直方向で鋸刃７の角度が変更する傾斜切断が夫々可能となる。切断が終わればノブ１７を緩めてクラウンモールド材Ｗの押圧を解除すればよい。
【００１４】
一方、横断面矩形の被切断材を切断する場合は、各ノブ１７をスリット１６下端の丸孔２２まで下降させてそのまま後方へ押し込むと、ノブ１７が収納位置に後退してガイド面１５から退避するため、通常通り被切断材をガイド面１５に押し当てて位置決め可能となる。再びクラウンモールド材Ｗを使用する場合は、抜け止め板２０を後方から押圧してノブ１７を丸孔２２から前方の使用位置へ突出させ、ノブ１７を把持してボルト１９の角軸部２１をスリット１６内に戻せば、前述のようにスリット１６に沿って固定可能となる。
【００１５】
このように、上記形態のガイドフェンス１１及び卓上丸鋸盤１によれば、ガイドフェンス１１に、ガイド面１５から突出し、上下方向へ移動可能且つ任意の位置で固定可能なノブ１７を設けたことで、ホルダ等の別部材を用いなくてもクラウンモールド材Ｗを安定姿勢で簡単に位置決めできる。よって、使い勝手に優れる上、コストアップも抑えられる。
特にここでは、ノブ１７を、ガイド面１５から突出する使用位置と、ガイド面１５に没入する収納位置との間で任意に移動操作可能としているので、必要に応じてノブ１７が使用可能となり、クラウンモールド材Ｗ以外の被切断材を切断する際にノブ１７が邪魔になることがない。
【００１６】
なお、ストッパ部材は上記ノブに限らず、ツマミネジ等の他の構成を採用しても差し支えない。また、ねじ込みによる固定以外に、例えばガイド部に上下方向へ連続状又は断続状に透孔を設け、その透孔に、ストッパ部材に設けたピンを差し込むことで所定高さでストッパ部材を取付可能とする等、上下方向への移動や任意の位置での固定構造も適宜設計変更可能である。
さらに、ストッパ部材の収納位置は、下限以外に中間や上限に設定してもよいし、クラウンモールド材以外の被切断材の切断時に邪魔にならなければ収納位置への移動構造はなくしてもよい。
その他、本体がスライドバーを介して前後へスライドするスライドマルノコや、ターンテーブルがないタイプ、本体が傾動しないタイプ、さらにはカッタ等、上記形態以外の他の切断機においても本発明は適用可能である。
【図面の簡単な説明】
【００１７】
【図１】卓上丸鋸盤の側面図である。
【図２】ガイドフェンスの斜視図である。
【図３】ガイドフェンスの説明図で、中央がスリット部分の断面、左がノブ部分の背面、右がスリット及びノブの正面を夫々示す。
【符号の説明】
【００１８】
１・・卓上丸鋸盤、２・・ベース、３・・ターンテーブル、４・・連結部、５・・本体、７・・鋸刃、１１・・ガイドフェンス、１２・・ガイド部、１３・・迂回部、１５・・ガイド面、１６・・スリット、１７・・ノブ、１８・・ナット、１９・・ボルト、２０・・抜け止め板、２１・・角軸部、２２・・丸孔、Ｗ・・クラウンモールド材。
【図１】
2009072983.tif 000003
【図２】
2009072983.tif 000004
【図３】
2009072983.tif 000005